(57)【要約】【課題】  図柄制御基板側の図柄変動の演出設定を容易に変えることができるとともに、メイン基板の負担を低減させることができるパチンコ遊技機を提供する。【解決手段】  メイン基板１３と、図柄表示手段５と、図柄制御基板１４とを具備し、図柄表示手段５で変動表示された複数の図柄が揃って停止表示したときに大当たり状態が発生するパチンコ遊技機において、メイン基板１３は、図柄表示手段５による図柄の変動表示開始条件が成立するのに伴い大当たりか否かの判定を行い、図柄制御基板１４に図柄変動開始信号を送信する一方、当該図柄制御基板１４は、受信した図柄変動開始信号に応じて図柄変動演出を選択し、図柄表示手段５にて図柄変動演出を行わせた後、図柄が停止表示されたことを示す図柄停止信号をメイン基板１３に送信するものである。【選択図】図４
2005237815.tif 000002
【特許請求の範囲】
【請求項１】
遊技の進行を制御するメイン基板と、
複数の図柄を変動表示させ得る図柄表示手段と、
前記メイン基板からの信号に基づき前記図柄表示手段による表示を制御する図柄制御基板と、
を具備し、前記図柄表示手段で変動表示された複数の図柄が揃って停止表示したときに大当たり状態が発生するパチンコ遊技機において、
前記メイン基板は、図柄表示手段による図柄の変動表示開始条件が成立するのに伴い大当たりか否かの判定を行い、前記図柄制御基板に図柄変動開始信号を送信する一方、当該図柄制御基板は、受信した図柄変動開始信号に応じて図柄変動演出を選択し、前記図柄表示手段にて図柄変動演出を行わせた後、図柄が停止表示されたことを示す図柄停止信号を前記メイン基板に送信することを特徴とするパチンコ遊技機。
【請求項２】
前記図柄制御基板は、図柄表示手段にて変動表示された図柄を強制的に停止表示させる短縮ボタンと接続されるとともに、該短縮ボタンが操作されたことを当該図柄制御基板が検知したとき、予め定められた所定時間の経過後に前記図柄停止信号をメイン基板へ送信することを特徴とする請求項１記載のパチンコ遊技機。
【請求項３】
前記図柄制御基板は、選択した図柄変動演出に応じて演出する音声制御基板及びランプ制御基板と接続されるとともに、前記図柄表示手段にて図柄変動演出を行わせた後、図柄停止信号を当該音声制御基板及びランプ制御基板に送信することを特徴とする請求項１又は請求項２記載のパチンコ遊技機。
【発明の詳細な説明】
【技術分野】
【０００１】
本発明は、図柄表示手段で変動表示された複数の図柄が揃って停止表示したときに大当たり状態が発生するパチンコ遊技機に関するものである。
【背景技術】
【０００２】
例えば第１種とよばれるパチンコ遊技機においては、３つの図柄を変動表示させる図柄表示手段、該図柄表示手段で表示させる図柄を変動表示開始するための始動口、該始動口へ遊技球が入賞すると乱数を取得して大当たりか否かの判定を行うメイン基板、図柄表示手段による図柄の変動表示や所定の演出表示等を制御する図柄制御基板などが配設されている（例えば、特許文献１にて開示されたパチンコ遊技機が挙げられる）。
【０００３】
かかる従来のパチンコ遊技機は、始動口に遊技球が入賞して図柄の変動表示開始条件が成立するのに伴いメイン基板が大当たりか否かの判定を行い、その当たり或いははずれ情報、リーチ演出などの図柄変動演出情報、図柄変動開始信号、及び図柄の変動時間情報を図柄制御基板に送信するとともに、送信した図柄の変動時間が経過した後、再びメイン基板が図柄制御基板に図柄を停止表示させるための図柄停止信号を送信していた。即ち、メイン基板側にて当たり或いははずれに応じた図柄変動演出を選択して、それら情報（変動時間情報含む）を図柄制御基板に送信する一方、当該図柄制御基板においては、指示された図柄の変動表示及び停止表示をさせ、メイン基板からの図柄停止信号の受信待ち状態となるのである。
【特許文献１】特開２０００−１９７７４３号公報
【発明の開示】
【発明が解決しようとする課題】
【０００４】
しかしながら、上記従来のパチンコ遊技機においては、メイン基板が図柄変動演出を選択し、変動時間情報を含む情報を図柄制御基板に送信するとともに、図柄を停止表示させる図柄停止信号を当該図柄制御基板に送信していたため、以下の如き問題があった。
【０００５】
即ち、近時においては多種多様な演出及び遊技が求められているため、図柄変動の演出時間が細かく設定されるようになり、パチンコ遊技機の開発時、それぞれの図柄変動の演出を微妙に変えるだけでメイン基板のプログラムを大きく変える必要が生じたり、或いはそれぞれの演出に応じたコマンドが必要となるため、当該コマンド数が大幅に増えてメイン基板側の制御が複雑となり、メイン基板の負担が増加してしまうという問題があった。
【０００６】
本発明は、このような事情に鑑みてなされたもので、図柄制御基板側の図柄変動の演出設定を容易に変えることができるとともに、メイン基板の負担を低減させることができるパチンコ遊技機を提供することにある。
【課題を解決するための手段】
【０００７】
請求項１記載の発明は、遊技の進行を制御するメイン基板と、複数の図柄を変動表示させ得る図柄表示手段と、前記メイン基板からの信号に基づき前記図柄表示手段による表示を制御する図柄制御基板とを具備し、前記図柄表示手段で変動表示された複数の図柄が揃って停止表示したときに大当たり状態が発生するパチンコ遊技機において、前記メイン基板は、図柄表示手段による図柄の変動表示開始条件が成立するのに伴い大当たりか否かの判定を行い、前記図柄制御基板に図柄変動開始信号を送信する一方、当該図柄制御基板は、受信した図柄変動開始信号に応じて図柄変動演出を選択し、前記図柄表示手段にて図柄変動演出を行わせた後、図柄が停止表示されたことを示す図柄停止信号を前記メイン基板に送信することを特徴とする。
【０００８】
請求項２記載の発明は、請求項１記載のパチンコ遊技機において、前記図柄制御基板は、図柄表示手段にて変動表示された図柄を強制的に停止表示させる短縮ボタンと接続されるとともに、該短縮ボタンが操作されたことを当該図柄制御基板が検知したとき、予め定められた所定時間の経過後に前記図柄停止信号をメイン基板へ送信することを特徴とする。
【０００９】
請求項３記載の発明は、請求項１又は請求項２記載のパチンコ遊技機において、前記図柄制御基板は、選択した図柄変動演出に応じて演出する音声制御基板及びランプ制御基板と接続されるとともに、前記図柄表示手段にて図柄変動演出を行わせた後、図柄停止信号を当該音声制御基板及びランプ制御基板に送信することを特徴とする。
【発明の効果】
【００１０】
請求項１の発明によれば、図柄制御基板は、メイン基板から受信した図柄変動開始信号に応じて図柄変動演出を選択し、図柄表示手段にて図柄変動演出を行わせた後、図柄が停止表示されたことを示す図柄停止信号をメイン基板に送信するので、メイン基板側からの図柄停止信号の送信が不要となり、図柄制御基板側の図柄変動の演出設定を容易に変えることができるとともに、図柄制御基板側で図柄変動演出を選択するので、メイン基板の負担を低減させることができる
【００１１】
請求項２の発明によれば、短縮ボタンが操作されたことを図柄制御基板が検知したとき、予め定められた所定時間の経過後に図柄停止信号をメイン基板へ送信するので、当該短縮ボタンの操作があった場合に種々自由な演出をさせるよう設定することができる。
【００１２】
請求項３の発明によれば、図柄制御基板が図柄表示手段にて図柄変動演出を行わせた後、図柄停止信号を音声制御基板及びランプ制御基板に送信するので、メイン基板を介在させずに音声制御基板及びランプ制御基板の検査が可能となる。
【発明を実施するための最良の形態】
【００１３】
以下、本発明の実施形態について図面を参照しながら具体的に説明する。
本実施形態に係るパチンコ遊技機は、図１及び図２に示すように、ガラス板２が取り付けられた前面枠３を有しており、かかるガラス板２から遊技者が遊技盤４を目視し得るよう構成されている。当該遊技盤４には、種々役物や複数の釘、或いは風車等が形成されている。尚、同図中符号６及び７は、遊技盤４に形成された始動口及び大入賞口を示している。
【００１４】
また、遊技盤４の略中央には、液晶表示装置等から成る図柄表示手段５が配設されており、その画面に所定の図柄や背景等を表示し得るようになっている。そして、始動条件が成立（例えば始動口６に遊技球が入賞）したときに、複数の図柄を変動表示させ、特定の図柄が停止表示されることにより「大当たり」状態として大入賞口７を所定時間及びタイミングで開口させ、多数の遊技球を獲得できるよう構成されている。
【００１５】
更に、パチンコ遊技機１の下方右隅部にはハンドル８が配設されており、該ハンドル８の操作により上皿９内の遊技球を遊技盤４へ打ち出すよう構成されている。このハンドル８は、遊技内容に関わる所定タイミングで振動させる振動手段（図２参照）を具備しており、ハンドル８の振動により遊技中の演出効果を更に高めている。尚、図１中符号１２は、前面枠３に形成されたスピーカを示しており、かかるスピーカ１２から発せられる音声によっても遊技中の演出効果が高められている。
【００１６】
また、パチンコ遊技機１の下部に形成された下皿１０には、遊技者が押圧操作させ得る図柄変動時間短縮ボタン１１（以下、短縮ボタン１１と呼ぶ）が配設されている。かかる短縮ボタン１１は、図柄表示手段５で図柄が変動表示されている間に押圧操作されると、強制的に当該図柄を停止表示させるもので、遊技者の任意によりリーチ等の演出表示を省略し得るようになっている。
【００１７】
パチンコ遊技機１の裏面側には、図２に示すように、メイン基板１３、図柄制御基板１４、ランプ制御基板１５及び音声制御基板１６が配設されており、各基板はそれぞれ透明樹脂から成るケース内に収容されつつ所定の基板や素子と電気的に接続されている。具体的には、メイン基板１３と図柄制御基板１４とが接続されて当該メイン基板１３の出力信号或いは制御信号を図柄制御基板１４に送信し得るよう構成されているとともに、図柄制御基板１４とランプ制御基板１５及び音声制御基板１６とが接続されて当該図柄制御基板１４からの出力信号或いは制御信号をランプ制御基板１５及び音声制御基板１６にそれぞれ送信し得るよう構成されている。
【００１８】
メイン基板１３は、パチンコ遊技機１全般に亘る遊技内容を制御するもので、同図の如く、ＣＰＵや該ＣＰＵに接続されたＲＯＭ及びＲＡＭ等で主に構成されている。そして、始動口６へ遊技球が入賞することにより、図柄表示手段５による図柄の変動表示開始条件が成立したと認識し、乱数を取得するとともに、当該乱数に基づき、大当たり状態とすべきか或いははずれとすべきかの判定が行われる。尚、ＣＰＵは、始動口６への入賞を検出する始動スイッチ、大入賞口７への入賞を検出する大入賞口スイッチ、継続スイッチ、大入賞口７を開閉動作させる大入賞口ソレノイド、普通入賞口スイッチＳＷ１、ＳＷ２とそれぞれＩ／Ｏを介して接続されている。
【００１９】
また、メイン基板１３は、始動口６へ遊技球が入賞することにより、図柄表示手段５による図柄の変動表示開始条件が成立したと認識し、図柄制御基板１４に図柄変動開始信号（当たり或いははずれ情報を含む）を送信し得るよう制御される。尚、本実施形態のメイン基板１３は、従来行われていた図柄変動演出（例えばリーチ演出やキャラクタ表示の種類）の選択、及び図柄制御基板１４に対する図柄の停止信号の送信は行われない。
【００２０】
ランプ制御基板１５は、同様に、ＣＰＵ及びＲＯＭやＲＡＭ等で構成され、装飾ＬＥＤ、ガラス枠ランプ及びサイドランプ等とＩ／Ｏを介して接続されて、これらランプ等の点灯又は点滅動作を制御するものである。そして、図柄表示手段５にて表示される演出に応じて、かかるランプ類やＬＥＤ等が所定タイミングで発光し、演出効果を高めるよう構成されている。
【００２１】
音声制御基板１６は、ＲＯＭ及びＲＡＭと接続されたＣＰＵがＩ／Ｏを介して振動手段及びスピーカ１２と電気的に接続されており、スピーカ１２からの出力や振動手段による振動を所定のタイミングで行わせるよう制御するものである。これにより、効果音や音声又はハンドルを介して遊技者に伝達される振動により遊技に関わる演出を行わせることができる。
【００２２】
図柄制御基板１４は、図柄表示手段５を制御してその画面に所定の図柄を変動表示又は停止表示させたり、背景或いは演出のためのキャラクタ等を表示させるもので、上記種々基板と同様、ＣＰＵや該ＣＰＵに接続されたＲＯＭ及びＲＡＭ等で主に構成されている。かかるＣＰＵは、Ｉ／Ｏを介してメイン基板１３のＣＰＵと接続される一方、図柄表示手段５や短縮ボタン１１とも接続されている。
【００２３】
ここで、本実施形態に係る図柄制御基板１４は、メイン基板１３からの図柄変動開始信号を受信すると、その図柄変動開始信号に応じて図柄変動演出を選択し得るよう制御される。即ち、メイン基板１３側からは、大当たり状態とすべきか否かの判定結果が送信され、その判定結果に応じたリーチ等の図柄変動演出の選択を図柄制御基板１４側で行うようになっている。
【００２４】
そして、選択した図柄変動演出を図柄表示手段５にて行わせた後、図柄が停止表示されたことを示す図柄停止信号をメイン基板１３やランプ制御基板１５及び音声制御基板１６へ送信する。これにより、メイン基板１３において、図柄変動演出を選択するためのプログラム等が不要となり、負担が軽減されるとともに、メイン基板１３からの図柄停止信号の送信が不要となるため、図柄制御基板１４側の図柄変動の演出設定を容易に変えることができる。
【００２５】
また、図柄制御基板１４は、短縮ボタン１１と接続されており、当該短縮ボタン１１が押圧操作されたことを検知することが可能とされている。かかる押圧操作が検知されると、図柄表示手段５にて変動表示されている図柄が強制的に停止表示されるのであるが、本実施形態においては、押圧操作から予め定められた所定時間の経過後に図柄停止信号をメイン基板１３へ送信するよう制御される。
【００２６】
これにより、短縮ボタン１１を押圧操作した場合であっても、押圧操作から図柄の停止表示までの間に所定時間図柄変動演出を続行させたり、或いは別途の演出を行わせたりすることができ、種々自由な演出をさせるよう設定することができる。尚、短縮ボタン１１の押圧操作から所定時間の経過を待たず、ただちに図柄停止信号をメイン基板１３に送信するようにしてもよい。
【００２７】
更に、本実施形態に係る図柄制御基板１４は、図柄停止信号をメイン基板１３へ送信するとともに、ランプ制御基板１５及び音声制御基板１６にも送信するので、メイン基板１３を介在させず、ランプ制御基板１５及び音声制御基板１６の検査が可能となる。ここでいう検査とは、パチンコ遊技機１の製造後に行われる動作確認のための検査をいい、本実施形態によれば、図柄制御基板１４から図柄停止信号が送信されるので、図柄制御基板１４にランプ制御基板１５及び音声制御基板１６を接続させた状態（メイン基板１３は接続しない状態）でも、所定の動作確認が行えるのである。
【００２８】
尚、メイン基板１３は、始動口６への遊技球の入賞によって開始された図柄表示手段５の図柄の変動動作中、更に遊技球が始動口６に入賞したときは、その入賞の個数（貯留個数）を記憶する記憶手段を有している。そして、かかる記憶手段で記憶された貯留個数（入賞記憶数）に応じて点灯するランプ（不図示）が４つ遊技盤４に形成されており、遊技者に貯留個数を報知し得るようになっている。
【００２９】
次に、上記構成のパチンコ遊技機１による制御内容について、図３〜図７で示すフローチャートに基づいて説明する。まず、メイン基板１３による処理について図３に基づき説明する。Ｓ１にて始動口６への遊技球の入賞が検知されると、大当たり判定用の乱数を取得し（Ｓ２）、入賞記憶数を１加算（Ｓ３）した後、その始動口入賞信号を図柄制御基板１４側へ送信（Ｓ４）する。尚、Ｓ１にて始動口６への入賞を検知しない場合は、Ｓ２〜Ｓ４の処理は行われず、Ｓ５の処理が行われる。
【００３０】
Ｓ５では、入賞記憶があるか否かが判定され、記憶がある場合は、入賞記憶数を１減算し（Ｓ６）、Ｓ２にて取得した乱数が大当たりであるか否かのチェックが行われる（Ｓ７）。そして、チェックの結果、大当たりであるか否かの判定が行われ（Ｓ８）、大当たりである場合は、その大当たり情報及び停止表示させるべき図柄の情報が図柄制御基板１４に送信される（Ｓ９）。
【００３１】
その後、図柄制御基板１４に図柄変動開始信号を送信し（Ｓ１０）、当該図柄制御基板１４からの図柄停止信号の受信を待つ（Ｓ１１）こととなる。当該図柄停止信号を受信すると、所定の図柄の停止処理が行われ（Ｓ１２）、大当たり処理（大入賞口７の開閉動作やランプ類の点滅など）が行われ（Ｓ１３）、Ｓ１に戻って、それ以降の一連の制御が再び行われる。
【００３２】
一方、Ｓ８において、取得した乱数が大当たりを生じさせるものでない（即ち、はずれ）と判定されると、Ｓ１４へ進み、はずれ情報及び停止させるべき図柄の情報が図柄制御基板１４に送信される。その後、図柄制御基板１４に図柄変動開始信号を送信し（Ｓ１５）、当該図柄制御基板１４からの図柄停止信号の受信を待つ（Ｓ１６）こととなる。当該図柄停止信号を受信すると、所定の図柄の停止処理が行われた後（Ｓ１７）、Ｓ１に戻って、それ以降の一連の制御が再び行われる。
【００３３】
次に、図柄制御基板１４による処理について図４及び図５に基づき説明する。
Ｓ１８にてメイン基板１３からの図柄変動開始信号を受信したと判定すると、図柄の変動表示の過程で如何なる演出を行わせるべきかの変動演出選択用乱数が取得され（Ｓ１９）、大当たり時とはずれ時と異ならせた変動演出の選択処理が行われる（Ｓ２０）。かかる変動演出選択処理は、図５に示すフローチャートに基づいて行われる。
【００３４】
即ち、メイン基板１３から送信された情報に基づき、大当たり演出を行うべきか否かの判定が行われ（Ｓ１８）、大当たり演出を行うべきと判断されると、Ｓ２９にてリーチカウンタ（例えば０〜１００のカウンタ）が取得される。かかるリーチカウンタに基づき所定の当たりリーチがセットされ（Ｓ３０）、変動演出選択処理が終了する。一方、Ｓ２８にて大当たり演出を行うべきでない（はずれである）と判定されると、Ｓ３１にて乱数が取得され、その乱数に基づき通常の変動表示（リーチしないはずれ）とすべきか、或いはリーチしてはずれとすべきかが判定される（Ｓ３２）。
【００３５】
Ｓ３２にて、はずれリーチ演出を行うべきと判定されると、Ｓ３３にてリーチカウンタ（例えば０〜１００のカウンタ）が取得され、かかるリーチカウンタに基づき所定のはずれリーチがセットされた後、変動演出選択処理が終了する。尚、Ｓ３２にて、通常の変動表示（リーチしないはずれ）とすべきと判定されると、Ｓ３３及びＳ３３の処理は行われず、変動演出選択処理が終了する。
【００３６】
上記変動演出選択処理が終了すると、図４に示すように、その選択された変動演出に応じたコマンドがランプ制御基板１５及び音声制御基板１６へ送信される（Ｓ２１）。その後、図柄表示手段５に対して選択された変動演出を開始させ（Ｓ２２）、当該演出時間が経過したか否か（Ｓ２３）或いは短縮ボタン１１が押圧操作（オン）されたか否か（Ｓ２４）が判定される。
【００３７】
演出時間が経過又は短縮ボタン１１の押圧操作があると、Ｓ２５へ進み、図柄表示手段５の図柄を停止表示させる。ここで、既述の如く、短縮ボタン１１の押圧操作があった後、所定時間が経過してから図柄を停止表示させるよう設定することができる。そして、図柄が停止表示されたことを示す図柄停止信号がメイン基板１３へ送信された後（Ｓ２６）、当該図柄停止信号がランプ制御基板１５及び音声制御基板１６へも送信される（Ｓ２７）。以上で図柄制御基板１４による一連の制御が終了し、再びＳ１８にてメイン基板１３からの図柄変動開始信号の受信を待つこととなる。
【００３８】
次に、音声制御基板１６による処理について図６に基づき説明する。
図柄制御基板１４からコマンド（図４中Ｓ２１にて音声制御基板１６に送信されたコマンド）を受信すると（Ｓ３５）、そのコマンドに応じたデータ（予め記憶した複数のデータからの選択）の読み込みがなされ（Ｓ３６）、当該コマンド別の選択ルーチンが行われて（Ｓ３７）、所定の音声データがセットされる（Ｓ３８）。
【００３９】
該セットされた音声データに基づき、スピーカ１２から所定の音声を出力することにより音声演出を行いつつ（Ｓ３９）、図柄制御基板１４からの停止コマンド（図柄停止信号）の受信を待つ（Ｓ４０）。尚、かかる停止コマンドは、図４中Ｓ２７にて音声制御基板１６に送信されたものである。そして、当該停止コマンドを受信すると、Ｓ４１へ進み、停止音声を出力（Ｓ４１）した後、ミュート処理（消音）が行われる（Ｓ４２）。
【００４０】
次に、ランプ制御基板１５による処理について図７に基づき説明する。
図柄制御基板１４からコマンド（図４中Ｓ２１にてランプ制御基板１５に送信されたコマンド）を受信すると（Ｓ４３）、そのコマンドに応じたデータ（予め記憶した複数のデータからの選択）の読み込みがなされ（Ｓ４４）、当該コマンド別の選択ルーチンが行われて（Ｓ４５）、所定のランプデータがセットされる（Ｓ４６）。
【００４１】
該セットされたランプデータに基づき、ランプ類やＬＥＤ等を所定タイミングにて発光させることによりランプによる演出を行いつつ（Ｓ４７）、図柄制御基板１４からの停止コマンド（図柄停止信号）の受信を待つ（Ｓ４８）。尚、かかる停止コマンドは、図４中Ｓ２７にてランプ制御基板１５に送信されたものである。そして、当該停止コマンドを受信すると、Ｓ４９へ進み、Ｓ４７より継続されたランプによる演出を終了させ、図柄停止中における所定のランプ演出が行われる（Ｓ５０）。
【００４２】
以上、本実施形態に係るパチンコ遊技機について説明したが、本発明はこれに限定されるものではなく、例えば短縮ボタン１１を具備せず、図柄の変動表示を短縮させ得ないものにも適用することができる。また、本実施形態においては、図柄停止信号を図柄制御基板１４からメイン基板１３に送信するとともに、ランプ制御基板１５及び音声制御基板１６にも送信しているが、図柄停止信号をメイン基板１３へのみ送信するものとしてもよい。
【産業上の利用可能性】
【００４３】
図柄制御基板が、メイン基板から受信した図柄変動開始信号に応じて図柄変動演出を選択し、図柄表示手段にて図柄変動演出を行わせた後、図柄停止信号をメイン基板に送信するパチンコ遊技機であれば、外観が異なるもの或いは他の機能が付加されたものにも適用することができる。
【図面の簡単な説明】
【００４４】
【図１】本発明の実施形態に係るパチンコ遊技機を示す正面図
【図２】同パチンコ遊技機の内部構成を示すブロック図
【図３】同パチンコ遊技機におけるメイン基板の処理工程を示すフローチャート
【図４】同パチンコ遊技機における図柄制御基板の処理工程を示すフローチャート
【図５】同図柄制御基板にて行われる変動演出選択処理工程を示すフローチャート
【図６】同パチンコ遊技機における音声制御基板の処理工程を示すフローチャート
【図７】同パチンコ遊技機におけるランプ制御基板の処理工程を示すフローチャート
【符号の説明】
【００４５】
１…パチンコ遊技機
２…ガラス板
３…前面枠
４…遊技盤
５…図柄表示手段
６…始動口
７…大入賞口
８…ハンドル
９…上皿
１０…下皿
１１…短縮ボタン
１２…スピーカ
１３…メイン基板
１４…図柄制御基板
１５…ランプ制御基板
１６…音声制御基板
【図１】
2005237815.tif 000003
【図２】
2005237815.tif 000004
【図３】
2005237815.tif 000005
【図４】
2005237815.tif 000006
【図５】
2005237815.tif 000007
【図６】
2005237815.tif 000008
【図７】
2005237815.tif 000009